(57)【要約】  制御装置（２）は、状態取得部（２００）と、表示制御部（２０１）とを備える。状態取得部（２００）は、各電気機器（４）から環境状態を取得する機器状態取得部（２１０）と、各部屋の代表環境値を決定する部屋状態決定部（２１１）とを含んで構成される。表示制御部（２０１）は、表示態様決定部（２１２）と、表示指示部（２１３）とを含んで構成され、操作端末（３）に、決定された各部屋の代表環境値を建物の間取りにおける各部屋に対応する領域内に予め定めた態様で表示させる。
2017006479.tif 000002
【特許請求の範囲】
【請求項１】
建物の間取りを表示する表示部と、
前記建物の少なくとも１つの監視対象の部屋のそれぞれにおける特定の１つの環境状態を示す代表環境値を取得する取得部と、
前記表示部に、前記監視対象の部屋の前記代表環境値を前記間取りにおける当該監視対象の部屋に対応する領域内に予め定めた態様で表示させる表示制御部と、を備える、表示装置。
【請求項２】
前記取得部は、前記監視対象の部屋に配置された少なくとも１つの電気機器から、当該電気機器が計測した環境状態を取得し、取得した各環境状態に基づいて当該部屋の前記代表環境値を取得する、請求項１に記載の表示装置。
【請求項３】
前記取得部は、監視対象となる同一の部屋に、同一の環境状態を計測する複数の電気機器が配置されている場合、前記複数の電気機器が計測した複数の環境状態から、予め定めた算法により当該部屋の代表環境値を取得する、請求項２に記載の表示装置。
【請求項４】
前記表示制御部は、前記監視対象の部屋の前記代表環境値の指標を前記間取りにおける当該監視対象の部屋に対応する領域内に予め定めた態様で表示させる、請求項１から３の何れか１項に記載の表示装置。
【請求項５】
建物の少なくとも１つの監視対象の部屋のそれぞれにおける特定の１つの環境状態を示す代表環境値を取得する取得部と、
表示部に、前記監視対象の部屋の前記代表環境値を前記建物の間取りにおける当該監視対象の部屋に対応する領域内に予め定めた態様で表示させる表示制御部と、を備える、制御装置。
【請求項６】
建物の少なくとも１つの監視対象の部屋のそれぞれにおける特定の１つの環境状態を示す代表環境値を取得し、
表示部に、前記監視対象の部屋の前記代表環境値を前記建物の間取りにおける当該監視対象の部屋に対応する領域内に予め定めた態様で表示させる、状態表示方法。
【請求項７】
コンピュータを、
建物の少なくとも１つの監視対象の部屋のそれぞれにおける特定の１つの環境状態を示す代表環境値を取得する状態取得部と、
表示部に、前記監視対象の部屋の前記代表環境値を前記建物の間取りにおける当該監視対象の部屋に対応する領域内に予め定めた態様で表示させる表示制御部と、して機能させる、プログラム。
【発明の詳細な説明】
【技術分野】
【０００１】
本発明は、表示装置、制御装置、状態表示方法及びプログラムに関する。
【背景技術】
【０００２】
無線接続された複数の無線機器の接続状態を実際のレイアウトと関連づけて表示する技術が知られている（例えば、特許文献１）。特許文献１で開示される技術では、表示装置の表示画面上に無線機器の設置場所のレイアウト画像及び該レイアウト画像上に１又は複数の無線機器のアイコンを表示する。そして、表示画面上に表示された１又は複数の無線機器のアイコンのうち、実際に信号の送受信が行われた無線機器に対応するアイコン同士を、無線接続されていることを示す第１状態（例えば、アイコン同士を線で結ぶ。）で表示し、信号の送受信が行われなかった無線機器に対応するアイコンを、無線接続されていないことを示す第２状態（例えば、アイコンを孤立させる。）で表示する。
【先行技術文献】
【特許文献】
【０００３】
【特許文献１】特開２０１１−１１４４１５号公報
【発明の概要】
【発明が解決しようとする課題】
【０００４】
近年、いわゆるＨＥＭＳ（Home Energy Management System）と呼ばれるシステムが一般家庭において導入されつつある。かかるＨＥＭＳに関し、特許文献１に開示される技術のように、監視対象となる電気機器それぞれの動作状態等を監視画面に表示し、ユーザに提示する技術が知られている。【０００５】
しかしながら、家屋等の建物における各部屋の環境状態（例えば、通信品質や空気温度等）をユーザに判りやすく提示する技術については、未だ有用な提案がなされていないのが実情である。【０００６】
本発明は、上記実情に鑑みてなされたものであり、建物における監視対象の部屋の環境状態を当該建物の間取りに対応付けて表示できるようにした表示装置等を提供することを目的とする。
【課題を解決するための手段】
【０００７】
上記目的を達成するため、本発明に係る表示装置は、
建物の間取りを表示する表示部と、
前記建物の少なくとも１つの監視対象の部屋のそれぞれにおける特定の１つの環境状態を示す代表環境値を取得する取得部と、
前記表示部に、前記監視対象の部屋の前記代表環境値を前記間取りにおける当該監視対象の部屋に対応する領域内に予め定めた態様で表示させる表示制御部と、を備える。
【発明の効果】
【０００８】
本発明によれば、監視対象の部屋における特定の１つの環境状態を示す代表環境値を建物の間取りにおける当該監視対象の部屋に対応する領域内に予め定めた態様で表示する。これにより、部屋の環境状態がどのような状況であるかをユーザに即座に認識させることが可能となる。
【図面の簡単な説明】
【０００９】
【図１】本発明の実施形態に係る表示装置の構成を示す図である。
【図２】制御装置のハードウェア構成を示すブロック図である。
【図３】制御装置の二次記憶装置に記憶される情報等を説明するための図である。
【図４】監視画面にて表示される間取りの一例を示す図である。
【図５】間取り情報テーブルの一例を示す図である。
【図６】レイアウト情報テーブルの一例を示す図である。
【図７】監視画面において、各電気機器を示すアイコンが配置された状況を示す図である。
【図８】機器状態テーブルの一例を示す図である。
【図９】部屋状態テーブルの一例を示す図である。
【図１０】制御装置の機能構成を示すブロック図である。
【図１１Ａ】品質指標が「良い」に対応したアイコンを示す図である。
【図１１Ｂ】品質指標が「普通」に対応したアイコンを示す図である。
【図１１Ｃ】品質指標が「不良」に対応したアイコンを示す図である。
【図１２】監視画面において、各部屋の環境状態が表示された状況を示す図である。
【図１３】状態表示処理の手順を示すフローチャートである。
【図１４】部屋の環境状態の指標を示すアイコンと共に、各電気機器で計測された環境状態の指標を示すアイコンも表示された場合の一例を示す図である。
【図１５】他の実施形態における制御装置の構成を示す図である。
【発明を実施するための形態】
【００１０】
以下、本発明の実施形態について図面を参照して詳細に説明する。
【００１１】
図１は、本発明の一実施形態に係る表示装置１の構成を示す図である。表示装置１は、家屋Ｈにおける各部屋の環境状態を表示して、家屋Ｈの居住者であるユーザに提示するための装置である。
【００１２】
表示装置１は、制御装置２と、操作端末３とを含んで構成される。制御装置２は、家屋Ｈ内の適切な場所に設置され、家屋Ｈ内に構築されたネットワークＮ１を介して、複数の電気機器４の各々と通信可能に接続する。ネットワークＮ１は、例えば、エコーネットライト（ECHONET Lite）に準じた無線ＬＡＮ（Local Area Network）である。
【００１３】
電気機器４は、例えば、エアコン（空調機）、照明器、換気装置、浴槽、床暖房システム、冷蔵庫、ＩＨ（Induction Heating）調理器、床冷暖房システム、テレビ、給湯機、ＥＶ用のパワーコンディショナ等の電気機器である。電気機器４は、家屋Ｈ（敷地も含む）内に設置され、商用電源等からの電力を供給する電力線に接続されると共に、ネットワークＮ１を介して、制御装置２と通信可能に接続する。なお、電気機器４の仕様によっては、外付けの通信アダプタ（図示せず）を介して、ネットワークＮ１に接続されてもよい。
【００１４】
操作端末３は、タッチパネル、タッチパッド等の入力デバイスと、液晶ディスプレイ等の出力デバイスと、通信インタフェースと、を備えた、例えば、タブレット型の端末装置である。操作端末３は、制御装置２と、Ｗｉ−Ｆｉ（登録商標）等、周知の無線ＬＡＮの規格に則った無線通信を行う。操作端末３は、ユーザからの操作を受け付け、受け付けた操作内容を示す情報を制御装置２に送信する。また、操作端末３は、制御装置２から送信された、ユーザに提示するための情報（例えば、監視画面データや各種の操作画面データ等）を受信し、受信した情報を表示する。このように、操作端末３は、ユーザとのインタフェース（ユーザインタフェース）としての役割を担う。
【００１５】
制御装置２は、図２に示すように、制御装置２を統括的に制御するＣＰＵ（Central Processing Unit）と、無線通信を行うための通信インタフェース２１と、複数のファームウェアやこれらのファームウェアの実行時に使用されるデータ等を記憶するＲＯＭ（Read Only Memory）２２と、ＣＰＵ２０の作業領域として使用されるＲＡＭ（Random Access Memory）２３と、後述する状態表示プログラムや各種のテーブル等を記憶する二次記憶装置２４と、を備える。これらの構成部は、バス２５を介して相互に接続される。
【００１６】
通信インタフェース２１は、ネットワークＮ１を介して各電気機器４と無線通信するためのＮＩＣ（Network Interface Card controller）と、操作端末３と無線通信するためのＮＩＣとを含んで構成される。
【００１７】
二次記憶装置２４は、フラッシュメモリ等の読み書き可能な不揮発性の半導体メモリやハードディスクドライブ等から構成される。二次記憶装置２４は、図３に示すように、間取り情報テーブル２４０、レイアウト情報テーブル２４１、機器状態テーブル２４２、部屋状態テーブル２４３、状態表示プログラム２４４等を記憶する。
【００１８】
なお、二次記憶装置２４は、図示はしないが、この他にも、監視画面において間取りを表示するための画像素材、電気機器４を示すアイコンや環境状態の指標を示すアイコン用の画像素材等も記憶する。
【００１９】
間取り情報テーブル２４０は、図４に示すように、監視画面４００にて表示される、この家屋Ｈの簡略化した間取り４０１を示す情報、即ち、家屋Ｈの主要な部屋の配置を示す情報（以下、間取り情報という。）が設定されたデータテーブルである。図５に示すように、間取り情報テーブル２４０の各レコードには、各部屋を識別するための部屋ＩＤ（identification）、階数（１，２，…）、部屋の名称、表示する幅（ドット単位）等の情報が設定される。
【００２０】
ユーザやこの表示装置１を設置する際の工事担当者等は、この表示装置１に備わっている間取り編集機能を用いた編集作業を行うことで、間取り情報テーブル２４０に間取り情報を設定することができる。
【００２１】
図３に戻り、レイアウト情報テーブル２４１は、監視画面４００にて、間取り４０１に合わせて各電気機器４を示すアイコンを配置するための情報（以下、レイアウト情報という。）が設定されたデータテーブルである。図６に示すように、レイアウト情報テーブル２４１の各レコードには、各電気機器４を識別するための機器ＩＤ、電気機器４のタイプ、配置されている部屋の部屋ＩＤ、位置（ｘ，ｙ）等の情報が設定される。
【００２２】
位置（ｘ，ｙ）は、アイコンの描画領域の起点、即ち、描画の開始位置を示す（何れもドット単位）。ここで、ｘは、表示画面の長手方向の位置（０〜ｘＭ）を示し、ｙは、表示画面の短手方向の位置（０〜ｙＮ）を示す。
【００２３】
ユーザは、この表示装置１に備わっているレイアウト機能を用いたレイアウト作業を行うことで、レイアウト情報テーブル２４１にレイアウト情報を設定することができる。例えば、ユーザは、新たな電気機器４を購入すると、表示装置１が当該電気機器４と通信できるようにするための設定を操作端末３を介して行うと共に、上記のレイアウト機能を用いて、当該電気機器４の実際の配置状況に合わせるようにしてレイアウト作業を行う。より詳細には、当該電気機器４を示すアイコン（電気機器４のタイプ毎に予め用意されている。）をドラッグ操作する等して、間取り４０１上の所望の場所に配置する。
【００２４】
なお、図６のレイアウト情報テーブル２４１において、タイプが給湯機の電気機器４が配置される部屋の部屋ＩＤが“０００”となっている。これは、給湯機は、屋外に設置されるからである。同様に、ＥＶ（電気自動車）のパワーコンディショナも屋外に配置されるため、部屋ＩＤが“９９９”となっている。なお、部屋ＩＤが“０００”の場合は、間取り４０１の向かって左側の屋外に配置されていることを示し、部屋ＩＤが“９９９”の場合は、間取り４０１の向かって右側の屋外に配置されていることを示す。
【００２５】
図７に、監視画面４００にて、各電気機器４を示すアイコン７００が表示されている状況を示す。ここで、アイコン７００ａ〜７００ｋは、タイプがそれぞれ、エアコン、照明器、換気装置、浴槽、床暖房システム、冷蔵庫、ＩＨ調理器、床冷暖房システム、テレビ、給湯機及びパワーコンディショナである電気機器４を示す。
【００２６】
図３に戻り、機器状態テーブル２４２は、各電気機器４によって計測された環境状態を示す情報（以下、機器状態情報という。）が設定されたデータテーブルである。図８に示すように、機器状態テーブル２４２の各レコードには、各電気機器４を識別するための機器ＩＤと、この電気機器４によって計測された環境状態を示す値（環境値）等が設定される。本実施形態において、計測される環境状態には、空気温度と通信品質が含まれる。
【００２７】
なお、本実施形態では、通信品質は、全ての電気機器４によって計測されるが、空気温度は、特定のタイプに該当する電気機器４によってのみ計測される。具体的には、空気温度は、温度センサが内蔵された電気機器４、即ち、タイプがエアコン、床暖房システム及び床冷暖房システムの何れかに該当する電気機器４によって計測される。
【００２８】
また、本実施形態では、通信品質として、制御装置２と各電気機器４との無線通信における電界（電波）強度、より詳しくは、ＲＳＳＩ（Received Signal Strength Indicator）を採用する。各電気機器４は、ＲＳＳＩ計測部を備え、制御装置２との無線通信において受信した無線信号のＲＳＳＩを計測する。
【００２９】
制御装置２は、一定時間間隔で、各電気機器４に対して環境状態情報の問合せを行う。そして、かかる問合せに応答して、各電気機器４から送られてきた環境状態情報を受信し、受信した各電気機器４の環境状態情報を機器状態テーブル２４２に格納する。
【００３０】
なお、機器状態テーブル２４２において、温度センサを備えていない電気機器４に対応するレコードの空気温度には、不定を示す値が設定される。
【００３１】
図３に戻り、部屋状態テーブル２４３は、各部屋の環境状態を示す情報（以下、部屋状態情報という。）が設定されたデータテーブルである。図９に示すように、部屋状態テーブル２４３の各レコードには、各部屋を識別するための部屋ＩＤと、この部屋の代表となる最新の環境状態を示す値（代表環境値）等が設定される。部屋状態テーブル２４３への部屋状態情報の設定は、制御装置２のＣＰＵ２０によって、上述した各電気機器４に対する環境状態情報の問合せの後に行われる。
【００３２】
部屋状態テーブル２４３における環境状態には、前述した機器状態テーブル２４２と同様、空気温度と通信品質が含まれ、通信品質として、ＲＳＳＩが採用される。ＣＰＵ２０は、ある部屋に、空気温度の計測が可能な電気機器４、即ち、エアコン、床暖房システム及び床冷暖房システムの何れかに該当する電気機器４が少なくとも１つ配置されている場合、当該電気機器４によって計測された空気温度に基づいて当該部屋の空気温度（代表空気温度）を決定する。
【００３３】
具体的には、空気温度の計測が可能な電気機器４が１つのみ配置されている部屋では、ＣＰＵ２０は、当該電気機器４によって計測された空気温度を当該部屋の代表空気温度として決定する。また、空気温度の計測が可能な電気機器４が複数配置されている部屋では、ＣＰＵ２０は、これらの電気機器４によって計測された空気温度から、予め定めた算法により代表空気温度を算出する。例えば、ＣＰＵ２０は、複数の電気機器４によって計測された空気温度の平均を代表空気温度をして算出する。あるいは、ＣＰＵ２０は、これらの電気機器４によって計測された空気温度の中央値を当該部屋の代表空気温度としてもよい。ＣＰＵ２０は、決定した代表空気温度（代表環境値）を部屋状態テーブル２４３の対応する部屋のレコードに設定（格納）する。
【００３４】
なお、部屋状態テーブル２４３において、空気温度の計測が可能な電気機器４が配置されていない部屋に対応するレコードの代表空気温度には、不定を示す値が設定される。
【００３５】
また、ＣＰＵ２０は、部屋毎に、配置されている少なくとも１つの電気機器４によって計測されたＲＳＳＩに基づいて当該部屋の通信品質（代表通信品質）を決定する。
【００３６】
具体的には、電気機器４が１つのみ配置されている部屋では、ＣＰＵ２０は、当該電気機器４によって計測されたＲＳＳＩを当該部屋の代表通信品質として決定する。また、複数の電気機器４が配置されている部屋では、ＣＰＵ２０は、これらの電気機器４によって計測されたＲＳＳＩのうち、一般的なＲＳＳＩの目安から判断して最も悪い値のＲＳＳＩを当該部屋の代表通信品質として決定する。ＣＰＵ２０は、決定した代表通信品質（代表環境値）を部屋状態テーブル２４３の対応する部屋のレコードに設定（格納）する。
【００３７】
図３に戻り、状態表示プログラム２４４は、ＣＰＵ２０によって実行されるコンピュータ・プログラムである。状態表示プログラム２４４には、各部屋の環境状態を取得し、各部屋の環境状態をユーザが容易に判別できる態様で監視画面４００上に表示する処理（状態表示処理）について記述されている。
【００３８】
図１０は、制御装置２の機能構成を示すブロック図である。制御装置２は、機能的には、状態取得部２００と、表示制御部２０１とを備える。これらの各機能部は、ＣＰＵ２０が上記の状態表示プログラム２４４を実行することで実現される。
【００３９】
状態取得部２００は、各電気機器４から環境状態情報を取得する機器状態取得部２１０と、各部屋の環境状態を決定する部屋状態決定部２１１とを含んで構成される。機器状態取得部２１０は、一定時間間隔で、各電気機器４に対して環境状態情報の要求を示すコマンド（状態情報要求コマンド）を送信する。そして、かかる状態情報要求コマンドに対する応答として、各電気機器４から送られてきた応答コマンドを受信する。
【００４０】
環境状態取得部２１０は、受信した各電気機器４からの応答コマンドに含まれる環境状態情報を抽出し、抽出した各環境状態情報を機器状態テーブル２４２のそれぞれ対応するレコードに格納する。
【００４１】
部屋状態決定部２１１は、機器状態テーブル２４２とレイアウト情報テーブル２４１を参照して、各部屋の代表環境値（ここでは、代表空気温度と代表通信品質）を決定し、決定した代表環境値を部屋状態テーブル２４３に設定する。具体的には、部屋状態決定部２１１は、空気温度の計測が可能な電気機器４、即ち、エアコン、床暖房システム及び床冷暖房システムの何れかに該当する電気機器４が少なくとも１つ配置されている部屋の場合、当該電気機器４によって計測された空気温度に基づいて当該部屋の代表空気温度を決定する。
【００４２】
上記の場合、空気温度の計測が可能な電気機器４が１つのみ配置されている部屋では、部屋状態決定部２１１は、当該電気機器４によって計測された空気温度を当該部屋の代表空気温度として決定する。また、空気温度の計測が可能な電気機器４が複数配置されている部屋では、部屋状態決定部２１１は、これらの電気機器４によって計測された空気温度の平均を当該部屋の代表空気温度として決定する。あるいは、部屋状態決定部２１１は、これらの電気機器４によって計測された空気温度の中央値を当該部屋の代表空気温度として決定してもよい。
【００４３】
また、部屋状態決定部２１１は、部屋毎に、配置されている少なくとも１つの電気機器４によって計測されたＲＳＳＩに基づいて当該部屋の代表通信品質（即ち、代表ＲＳＳＩ）を決定する。
【００４４】
上記の場合、電気機器４が１つのみ配置されている部屋では、部屋状態決定部２１１は、当該電気機器４によって計測されたＲＳＳＩを当該部屋の代表ＲＳＳＩとして決定する。また、複数の電気機器４が配置されている部屋では、部屋状態決定部２１１は、これらの電気機器４によって計測されたＲＳＳＩのうち最も悪い値のＲＳＳＩを当該部屋の代表ＲＳＳＩとして決定する。なお、部屋状態決定部２１１は、これらの電気機器４によって計測されたＲＳＳＩの平均値又は中央値を当該部屋の代表ＲＳＳＩとして決定してもよい。
【００４５】
表示制御部２０１は、表示態様決定部２１２と、表示指示部２１３とを含んで構成される。表示態様決定部２１２は、上述のようにして各部屋の代表環境値が決定すると、各部屋における代表空気温度及び代表通信品質それぞれの表示態様を決定する。具体的には、代表空気温度については、先ず、表示態様決定部２１２は、当該代表空気温度の温度指標を判別する。温度指標は、３つの段階（「低」、「普通」、「高」）で示される。例えば、表示態様決定部２１２は、代表空気温度が、１８℃未満の場合、温度指標を「低」として、１８℃以上且つ２８℃未満の場合、温度指標を「普通」として、２８℃以上の場合、温度指標を「高」として、それぞれ判別する。
【００４６】
表示態様決定部２１２は、部屋の温度指標を判別すると、判別した温度指標に対応する部屋の背景色を選択する。背景色は、予め温度指標に応じて定められている。例えば、温度指標が「低」の場合は水色、温度指標が「普通」の場合は黄色、温度指標が「高」の場合は赤橙色の背景色が選択される。
【００４７】
表示態様決定部２１２は、選択した背景色と、当該部屋の部屋ＩＤとを表示指示部２１３に供給する。表示指示部２１３は、間取り４０１における、表示態様決定部２１２から供給された部屋ＩＤに対応する領域を、表示態様決定部２１２から供給された背景色で塗りつぶすためのコマンド（温度指標表示コマンド）を生成し、操作端末３に送信する。なお、温度センサを備えている電気機器４が配置されていない部屋については、表示態様決定部２１２は、温度指標表示コマンドを送信しない。したがって、このような部屋については、元の背景色（例えば、白色）のままである。
【００４８】
また、表示態様決定部２１２は、代表通信品質についても同様に、先ず、当該代表通信品質の指標（品質指標）を判別する。品質指標は、３つの段階（「不良」、「普通」、「良」）で示され、代表ＲＳＳＩの値に応じて判別される。
【００４９】
表示態様決定部２１２は、部屋の品質指標を判別すると、判別した品質指標に対応するアイコンを選択する。二次記憶装置２４には、予め品質指標を示すアイコン（図１１Ａ〜１１Ｃ参照）が保存されている。図１１Ａは、品質指標が「良」に対応したアイコンを示し、図１１Ｂは、品質指標が「普通」に対応したアイコンを示し、図１１Ｃは、品質指標が「不良」に対応したアイコンを示す。
【００５０】
表示態様決定部２１２は、選択したアイコンを識別する情報（アイコンＩＤ）と、当該部屋の部屋ＩＤとを表示指示部２１３に供給する。表示指示部２１３は、間取り４０１における、表示態様決定部２１２から供給された部屋ＩＤに対応する領域内に、表示態様決定部２１２から供給されたアイコンＩＤに対応するアイコンを表示するためのコマンド（品質指標表示コマンド）を生成し、操作端末３に送信する。
【００５１】
上述したようにして、表示指示部２１３から各部屋についての温度指標表示コマンド及び品質指標表示コマンド（品質指標表示コマンドのみの場合もあり）が操作端末３に送信され、操作端末３によって、各部屋の環境状態が表示された例を図１２に示す。
【００５２】
図１２の例では、書斎と寝室の空気温度が低く、客間とリビングキッチンの空気温度が普通であり、子供部屋の空気温度が高いことが示されている。また、客間、リビングキッチン、子供部屋、書斎及び寝室の通信品質が良く、浴室、トイレ及び給湯機が設置されている付近の通信品質が普通であり、ＥＶ用のパワーコンディショナが設置されている付近の通信品質が不良であることが示されている。
【００５３】
図１３は、表示装置１にて実行される状態表示処理の手順を示すフローチャートである。この状態表示処理は、一定時間間隔で繰り返し実行される。
【００５４】
ステップＳ１０１では、制御装置２の機器状態取得部２１０が、各電気機器４から環境状態情報を取得し、取得した各環境状態情報を機器状態テーブル２４２のそれぞれ対応するレコードに格納する。
【００５５】
ステップＳ１０２では、制御装置２の部屋状態決定部２１１が、機器状態テーブル２４２とレイアウト情報テーブル２４１を参照して、各部屋の代表環境値（ここでは、代表空気温度と代表通信品質）を決定する。
【００５６】
ステップＳ１０３では、制御装置２の表示態様決定部２１２が、各部屋における代表環境値の指標の表示態様、即ち、各部屋における代表空気温度及び代表通信品質それぞれの指標の表示態様を決定する。
【００５７】
ステップＳ１０４では、制御装置２の表示指示部２１３が、各部屋の代表環境値の指標を表示させるためのコマンド（温度指標表示コマンド、品質指標表示コマンド）を操作端末３に送信し、操作端末３が、かかるコマンドに従って、部屋の背景の塗りつぶし又は通信品質の指標を示すアイコンの表示を行う。これにより、監視画面４００にて、各部屋の環境状態、より詳細には、代表環境値の指標が表示される（図１２参照）。
【００５８】
以上説明したように、本発明の実施形態に係る表示装置１は、監視画面４００を介して、監視対象である電気機器４が配置された各部屋の環境状態（空気温度、通信品質）の指標をユーザが視認しやすい態様で表示する。このため、ユーザは、各部屋の環境状態がどのような状況であるかを即座に認識することができ、認識した状況に応じた適切な対策等を速やかに取ることが可能となる。例えば、ユーザは、各部屋の環境状態に応じて、空調内容を変更したり、電気機器４の配置を変更する等の対策を取ることが可能となる。
【００５９】
また、各電気機器４から取得した環境状態情報を使用して、各部屋の環境状態（代表環境値）を決定するため、環境状態を計測するための専用のセンサ等を設置する必要がなく、低コストでの実現が可能である。
【００６０】
なお、本発明は、上記実施形態に限定されず、本発明の要旨を逸脱しない範囲での種々の変更は勿論可能である。
【００６１】
例えば、制御装置２は、ユーザの操作に応じて各電気機器４（あるいは、指定された電気機器４）に対して環境状態情報の問合せを行ってもよい。あるいは、電気機器４毎に問合せの時間間隔を設定できるようにしてもよい。
【００６２】
また、各部屋の代表空気温度の指標（温度指標）を背景色ではなく、背景の模様で示してもよいし、予め温度指標に応じて用意されたアイコンで示してもよい。また、各部屋の代表通信品質の指標（品質指標）をアイコンではなく、背景色や背景の模様で示してもよい。
【００６３】
また、温度指標や品質指標の表示と共に、空気温度やＲＳＳＩ値を表示してもよい。
【００６４】
また、温度指標と品質指標を同時に表示するのではなく、何れか一方を表示するか、あるいは双方を表示するか等をユーザが適宜選択できるようにしてもよい。
【００６５】
また、各部屋の環境状態（代表環境値）として、湿度、照度、空気清浄値、換気流量、消費電力等の指標を表示するようにしてもよい。例えば、湿度については、タイプがエアコンの電気機器４から取得すればよい。また、照度については、タイプが照明器の電気機器４から取得すればよい。また、空気清浄値（例えば、ハウスダスト、ＰＭ２．５の含有量など）については、タイプがエアコンや空気清浄機の電気機器４から取得すればよく、換気流量については、タイプが換気装置の電気機器４から取得すればよい。なお、湿度、照度又は空気清浄値については、同一の部屋に配置された複数の電気機器４から、同一の環境状態が取得できた場合、これらの平均値又は中央値を代表環境値（代表湿度、代表照度又は代表空気清浄値）として採用することができる。
【００６６】
なお、換気流量については、同一の部屋に配置された複数の電気機器４から取得できる場合、取得した換気流量の総計を当該部屋の代表環境値（代表換気流量）とするのが望ましく、消費電力については、同一の部屋に配置された全ての電気機器４の消費電力の総計を当該部屋の代表環境値（代表消費電力）とするのが望ましい。
【００６７】
また、通信品質として、パケットエラー率（ＰＥＲ：Packet Error Rate）、伝播遅延時間等を採用してもよい。
【００６８】
また、通信品質の計測を、制御装置２が行ってもよいし、図示しない中継器が行ってもよい。
【００６９】
また、上記実施形態では、制御装置２と各電気機器４とは、無線ＬＡＮであるネットワークＮ１を介して通信を行っていたが、有線ＬＡＮを介して通信を行うようにしてもよい。この場合、無線ＬＡＮを介して通信する電気機器４と有線ＬＡＮで通信する電気機器４とが混在してもよい。
【００７０】
また、制御装置２と各電気機器４との無線通信において、無線ＬＡＮを介した構成に限らない。例えば、Ｂｌｕｅｔｏｏｔｈ（登録商標）や特定小電力無線によって制御装置２と各電気機器４との無線通信が行われるようにしてもよい。なお、同一の部屋に、異なる無線方式で通信する複数の電気機器４が配置されている場合、無線方式毎に当該部屋の代表通信品質を決定してもよい。
【００７１】
また、権限のあるユーザが所有するスマートフォン等の携帯デバイスから制御装置２にアクセスすることで、当該携帯デバイスに監視画面４００と同様の画面が表示されるようにしてもよい。
【００７２】
また、制御装置２が、部屋に設置した、温度、湿度、照度、空気清浄値、換気流量、消費電力等の環境状態を計測する専用のセンサと通信可能に接続し、このようなセンサから取得した計測値も使用して、当該部屋の各環境状態における代表環境値を決定してもよい。
【００７３】
また、監視画面４００にて表示される間取り４０１は、家屋Ｈにおける一方向の視点に対応した間取りに限定されず、他の異なる方向の視点に対応した間取り４０１を表示できるようにしてもよい。この場合、ユーザは、前述した間取り編集機能を用いた編集作業やレイアウト機能を用いたレイアウト作業により、各方向の視点に対応した間取り情報テーブル２４０とレイアウト情報テーブル２４１を予め用意しておけばよい。そして、監視画面４００に視点切換用のＧＵＩ（Graphical User Interface）ボタンを設け、ユーザによって、かかるＧＵＩボタンが操作される度に、異なる方向の視点に対応した間取り４０１が表示されるようにすればよい。
【００７４】
また、図１４に示すように、部屋の代表環境値（ここでは、代表通信品質）の指標を示すアイコンを表示すると共に、当該部屋に配置された各電気機器４で計測された環境状態の指標を示すアイコンも合わせて表示してもよい。この場合、図１４に示すように、各電気機器４のアイコンに密接するようにして環境状態の指標を示すアイコンを表示することで、ユーザは、各電気機器４で計測された個別の環境状態についても、どのような状況であるかを即座に認識することが可能となる。
【００７５】
また、上記の実施形態では、制御装置２が家屋Ｈに設置された場合について説明したが、制御装置２を家屋Ｈの外に設置するようにしてもよい。例えば、インターネット上のサーバを制御装置２として機能させてもよい。
【００７６】
この場合、例えば、図１５に示すように、家屋Ｈには、制御装置２の代わりにルータ５が設置されている。一方、例えば、家屋Ｈの外のインターネット上には、制御装置２として機能させるサーバ６が設置されている。この場合、ルータ５とサーバ６とが協調して制御装置２の役割を果たす。
【００７７】
また、本発明は、家屋のみに限らず、例えば、オフィスビルや工場等において、区画された各エリアの環境状態を表示する技術にも適用可能である。
【００７８】
また、上記実施形態において、制御装置２によって実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを制御装置２として機能させることも可能である。
【００７９】
また、上記のプログラムをインターネット等の通信ネットワーク上のサーバ装置が有するディスク装置等に格納しておき、例えば、搬送波に重畳させて、コンピュータにダウンロード等するようにしてもよい。
【００８０】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００８１】
本発明は、建物内に設置された電気機器の動作を管理するシステム等に好適に採用され得る。
【符号の説明】
【００８２】
１  表示装置、２  制御装置、３  操作端末、４  電気機器、５  ルータ、６  サーバ、２０  ＣＰＵ、２１  通信インタフェース、２２  ＲＯＭ、２３  ＲＡＭ、２４  二次記憶装置、２５  バス、２００  状態取得部、２０１  表示制御部、２１０  機器状態取得部、２１１  部屋状態取得部、２１２  表示態様決定部、２１３  表示指示部、２４０  間取り情報テーブル、２４１  レイアウト情報テーブル、２４２  機器状態テーブル、２４３  部屋状態テーブル、２４４  状態表示プログラム
【図１】
2017006479.tif 000003
【図２】
2017006479.tif 000004
【図３】
2017006479.tif 000005
【図４】
2017006479.tif 000006
【図５】
2017006479.tif 000007
【図６】
2017006479.tif 000008
【図７】
2017006479.tif 000009
【図８】
2017006479.tif 000010
【図９】
2017006479.tif 000011
【図１０】
2017006479.tif 000012
【図１１Ａ】
2017006479.tif 000013
【図１１Ｂ】
2017006479.tif 000014
【図１１Ｃ】
2017006479.tif 000015
【図１２】
2017006479.tif 000016
【図１３】
2017006479.tif 000017
【図１４】
2017006479.tif 000018
【図１５】
2017006479.tif 000019
【手続補正書】
【提出日】平成29年5月19日(2017.5.19)
【手続補正１】
【補正対象書類名】明細書
【補正対象項目名】０００７
【補正方法】変更
【補正の内容】
【０００７】
上記目的を達成するため、本発明に係る表示装置は、
建物の間取りを表示する表示部と、
前記建物の少なくとも１つの部屋のそれぞれに配置された複数の電気機器から、各電気機器が計測した通信品質を取得し、取得した複数の通信品質から当該部屋の代表通信品質を取得する取得部と、
前記表示部に、前記部屋の前記代表通信品質を前記間取りにおける当該部屋に対応する領域内に予め定めた態様で表示させる表示制御部と、を備える。
【手続補正２】
【補正対象書類名】特許請求の範囲
【補正対象項目名】全文
【補正方法】変更
【補正の内容】
【特許請求の範囲】
【請求項１】
建物の間取りを表示する表示部と、
前記建物の少なくとも１つの部屋のそれぞれに配置された複数の電気機器から、各電気機器が計測した通信品質を取得し、取得した複数の通信品質から当該部屋の代表通信品質を取得する取得部と、
前記表示部に、前記部屋の前記代表通信品質を前記間取りにおける当該部屋に対応する領域内に予め定めた態様で表示させる表示制御部と、を備える、表示装置。
【請求項２】
前記表示制御部は、前記部屋の前記代表通信品質の指標を前記間取りにおける当該部屋に対応する領域内に予め定めた態様で表示させる、請求項１に記載の表示装置。
【請求項３】
建物の間取りを表示する表示部と、
前記建物の少なくとも１つの部屋のそれぞれにおける特定の１つの環境状態を示す代表環境値を取得する取得部と、
前記表示部に、前記代表環境値の指標に応じた色又は模様で前記間取りにおける対応する部屋の背景を表示させる表示制御部と、を備える、表示装置。
【請求項４】
前記取得部は、前記部屋に配置された少なくとも１つの電気機器から、当該電気機器が計測した環境状態を取得し、取得した各環境状態に基づいて当該部屋の前記代表環境値を取得する、請求項３に記載の表示装置。
【請求項５】
前記取得部は、同一の部屋に、同一の環境状態を計測する複数の電気機器が配置されている場合、前記複数の電気機器が計測した複数の環境状態から当該部屋の代表環境値を取得する、請求項４に記載の表示装置。
【請求項６】
建物の少なくとも１つの部屋のそれぞれに配置された複数の電気機器から、各電気機器が計測した通信品質を取得し、取得した複数の通信品質から当該部屋の代表通信品質を取得する取得部と、
表示部に、前記部屋の前記代表通信品質を前記建物の間取りにおける当該部屋に対応する領域内に予め定めた態様で表示させる表示制御部と、を備える、制御装置。
【請求項７】
取得部が、建物の少なくとも１つの部屋のそれぞれに配置された複数の電気機器から、各電気機器が計測した通信品質を取得し、取得した複数の通信品質から当該部屋の代表通信品質を取得し、
表示制御部が、表示部に、前記部屋の前記代表通信品質を前記建物の間取りにおける当該部屋に対応する領域内に予め定めた態様で表示させる、状態表示方法。
【請求項８】
コンピュータを、
建物の少なくとも１つの部屋のそれぞれに配置された複数の電気機器から、各電気機器が計測した通信品質を取得し、取得した複数の通信品質から当該部屋の代表通信品質を取得する取得部と、
表示部に、前記部屋の前記代表通信品質を前記建物の間取りにおける当該部屋に対応する領域内に予め定めた態様で表示させる表示制御部と、して機能させる、プログラム。
【国際調査報告】
2017006479.tif 000020
2017006479.tif 000021